(57)【要約】【課題】どのような姿勢で設置しても、収納庫内で凝縮した水等を被設置面に零さないようにすることができる収納庫を提供すること。【解決手段】収納庫本体としての温冷蔵庫本体２と、扉体３とを有する収納庫としての温冷蔵庫１であって、前記温冷蔵庫本体２の開口部１１の一縁である下縁１１Ａに対応して前記温冷蔵庫本体２の下部に第一の受水手段としての受水体２０を設けると共に、前記開口部１１の他縁である側縁１１Ｂに対応して前記温冷蔵庫本体２の側部に第二の受水手段としての受水溝２２を設けることで、前記温冷蔵庫１の設置姿勢によらず、前記温冷蔵庫本体２内で凝縮した水等を前記受水体２０又は受水溝２２で受けることができるので、被設置面Ｆを濡らしてしまうことを確実に防止することができる。【選択図】図８
2009275939.tif 000002
【特許請求の範囲】
【請求項１】
収納庫本体と、扉体と、前記収納庫本体内で凝縮した水等を受けるための受水手段とを有する収納庫において、
前記受水手段が、前記収納庫本体の開口部の一縁に対応して前記収納庫本体外に設けられた第一の受水手段と、前記開口部の他縁に対応して前記収納庫本体外に設けられた第二の受水手段とを有して構成されることを特徴とする収納庫。
【請求項２】
前記収納庫本体の外面に化粧パネルが取り付けられ、この化粧パネルの前端部を前記開口部よりも前方に突出させると共に、この化粧パネルの前端部に前記第二の受水手段が形成されることを特徴とする請求項１記載の収納庫。
【請求項３】
前記収納庫本体の開口部の他縁が下縁となる姿勢で設置した状態における前記開口部の上下に、夫々回動軸が設けられると共に、上下何れかの回動軸が、選択的に前記扉体の回動中心となるように構成されることを特徴とする請求項１乃至２記載の収納庫。
【請求項４】
前記受水手段が吸水体を有することを特徴とする請求項１乃至２記載の収納庫。
【発明の詳細な説明】
【技術分野】
【０００１】
本発明は、冷蔵庫等の収納庫に関するものであり、特に、収納庫本体内で結露した水等の処理に関するものである。
【背景技術】
【０００２】
従来、この種の収納庫としては、冷蔵庫本体（本発明の収納庫本体に相当する）内に設けられた吸熱部の下方に、露受容器（本発明の受水手段に相当する）を設けた冷蔵庫が知られている（例えば、特許文献１参照。）。そして、この冷蔵庫は、前記冷蔵庫本体内を冷却するために低温にされる前記吸熱部の表面に、空気中の水分が凝縮（結露）して流れ落ちるが、この流れ落ちた水を前記露受容器に溜めることで、水が冷蔵庫本体から漏れ出ないようにすることができるというものである。
【特許文献１】特開２００４−２０５１２１号公報
【発明の開示】
【発明が解決しようとする課題】
【０００３】
ところで、例えばサーモモジュールを用いた電子式の冷蔵庫等では、熱の移動手段として、金属製のヒートシンクを用いることが可能である。そして、このような電子式の冷蔵庫等は、サーモモジュール自体、及びヒートシンク自体が重力の影響を受ける冷媒を有さないので、冷蔵庫を自由な姿勢で被設置面に設置することが可能である。しかしながら、特許文献１のような冷蔵庫は、ある姿勢で設置した場合にのみ、結露した水を露受容器に溜めることができる一方、他の姿勢で設置した場合、露受容器に水を貯めることができないという問題があった。また、特許文献１のような冷蔵庫は、前記吸熱部以外の内容器に凝縮した水を前記露受容器で受けることができないので、水が冷蔵庫本体から漏れ出ることを完全に阻止することができないという問題もあった。
【０００４】
本発明は以上の問題点を解決し、どのような姿勢で設置しても、収納庫内で凝縮した水等を被設置面に零さないようにすることができる収納庫を提供することを目的とする。
【課題を解決するための手段】
【０００５】
本発明の請求項１に記載の収納庫は、収納庫本体と、扉体と、前記収納庫本体内で凝縮した水等を受けるための受水手段とを有する収納庫において、前記受水手段が、前記収納庫本体の開口部の一縁に対応して前記収納庫本体外に設けられた第一の受水手段と、前記開口部の他縁に対応して前記収納庫本体外に設けられた第二の受水手段とを有して構成されるものである。
【０００６】
また、本発明の請求項２に記載の収納庫は、請求項１において、前記収納庫本体の外面に化粧パネルが取り付けられ、この化粧パネルの前端部を前記開口部よりも前方に突出させると共に、この化粧パネルの前端部に前記第二の受水手段が形成されるものである。
【０００７】
また、本発明の請求項３に記載の収納庫は、請求項１乃至２において、前記収納庫本体の開口部の他縁が下縁となる姿勢で設置した状態における前記開口部の上下に、夫々回動軸が設けられると共に、上下何れかの回動軸が、選択的に前記扉体の回動中心となるように構成されるものである。
【０００８】
更に、本発明の請求項４に記載の収納庫は、請求項１において、前記受水手段が吸水体を有するものである。
【発明の効果】
【０００９】
本発明の請求項１に記載の収納庫は、以上のように構成することにより、前記開口部の一縁が下縁となる姿勢で、前記収納庫を設置した場合、前記扉体を開いた際に、前記収納庫本体内で凝縮した水等が前記開口部の一縁から流れ落ちるが、この流れ落ちた水等を、前記収納庫本体外に設けられた第一の受水手段によって受けることができる。一方、前記開口部の他縁が下縁となる姿勢で、前記収納庫を設置した場合、前記扉体を開いた際に、前記収納庫本体内で凝縮した水等が前記開口部の他縁から流れ落ちるが、この流れ落ちた水等を、前記収納庫本体外に設けられた第二の受水手段によって受けることができる。従って、前記収納庫は、その設置姿勢によらず、前記収納庫本体内で凝縮した水等を何れかの受水手段で受けることができるので、被設置面を濡らしてしまうことを確実に防止することができる。
【００１０】
また、前記収納庫本体の外面に取り付けられる化粧パネルの前端部を前記開口部よりも前方に突出させると共に、この化粧パネルの前端部に前記第二の受水手段を形成したことで、前記化粧パネルと第二の受水手段とを一体に形成することができるので、前記収納庫の表面に繋ぎ目や凹凸等を生じさせないようにしてデザイン性を高めることができる。
【００１１】
また、前記開口部の他縁が下縁となる姿勢で設置した状態における前記開口部の上下に、夫々回動軸を設け、上下何れかの回動軸が選択的に前記扉体の回動中心となるように構成したことで、前記収納庫内の被収納物を取り出す場合、前記開口部の下方に位置する回動軸を回動中心として選択することで、前記扉体を容易に開閉することができる一方、前記第二の受水手段に溜められた水等を除去する場合、前記開口部の上方に位置する回動軸を回動中心として選択することで、前記第二の受水手段の前方を大きく開放することができる。従って、前記収納庫は、前記開口部の他縁が下縁となる姿勢で設置された状態で、何れかの回動軸を回動中心として選択することで、前記収納庫内の被収納物を取り出しやすくすることも、第二の受水手段に溜められた水等を除去しやすくすることもできる。
【００１２】
更に、前記受水手段が吸水体を有することで、前記収納庫の設置姿勢を変更する際に、何れかの受水手段に溜められた水等が零れるのを阻止することができる。
【発明を実施するための最良の形態】
【００１３】
以下、本考案の第一の実施形態について、図１乃至図１１に基づいて説明する。１は収納庫としての温冷蔵庫である。この温冷蔵庫１は、温冷蔵庫本体２と、扉体３と、棚板４とを有して構成されている。
【００１４】
前記温冷蔵庫本体２は、外殻体５と、内容器６と、左右一対の化粧パネル７と、把持部８とを有して構成されていると共に、前記外殻体５と内容器６との間には、断熱材９が充填されている。そして、前記外殻体５は、前記扉体３と対向する前外殻体１０を有している。この前外殻体１０には開口部１１が形成されており、この開口部１１に前記内容器６が取り付けられている。また、前記前外殻体１０の右上部、右下部、左上部、左下部の４ヶ所に、夫々軸腕部１２が設けられていると共に、これらの軸腕部１２には、夫々回動軸１３が設けられている。なお、これらの回動軸１３のうち、右側の二本の回動軸１３Ｒは、夫々同軸となるように設けられている。また、左側の二本の回動軸１３Ｌも、夫々同軸となるように設けられている。また、前記前外殻体１０の開口部１１には、溝部１４が形成されていると共に、この溝部１４と対応して、前記内容器６にも溝部（図示せず）が形成されている。そして、前記溝部１４及び前記内容器６の図示しない溝部に、前記棚板４が取り付けられる。更に、前記前外殻体１０の前面で且つ後述するパッキン２８によって囲まれる領域の外側には、操作部１５が設けられている。この操作部１５には、押圧部１６及び発光部１７が設けられている。なお、前記発光部１７には、発光ダイオードが用いられる。そして、前記操作部１５は、前記扉体３を閉じた際に、この扉体３によって覆われる。また、前記外殻体５の下方には、前記開口部１１の一縁である下縁１１Ａに対応して、第一の受水手段としての受水体２０が設けられていると共に、前記把持部８とほぼ同じ形状の脚部２１が設けられている。そして、一対の前記化粧パネル７は、それらの前端部７Ａが前記前外殻体１０よりも前方に突出した状態で、前記外殻体５の左右に取り付けられていると共に、これらの前端部７Ａの内面に、第二の受水手段としての受水溝２２が形成されている。そして、このように、受水溝２２が前記化粧パネル７と一体に形成されているので、前記温冷蔵庫１の表面に繋ぎ目や凹凸等が生じない。このため、前記温冷蔵庫１は、その外観のデザイン性を高めることができる。なお、前記受水溝２２は、夫々前記開口部１１の他縁である側縁１１Ｂに対応して設けられている。また、前記各化粧パネル７の外面には、夫々側脚部２３が設けられている。更に、前記外殻体５の背面には、複数の後脚部２４が設けられていると共に、電源コード２５が引き出されている。
【００１５】
前記扉体３は、前外殻体２６と、後外殻体２７と、これらの間に設けられた図示しない断熱材と、弾性体によって形成されたパッキン２８と、左右一対の操作レバー２９とを有して構成されている。前記後外殻体２７には、図示しない凹部を有するリブ３０が形成されていると共に、前記操作レバー２９の上下両端には、図示しない爪部を有するフック３１が設けられており、前記リブ３０の凹部と前記フック３１の爪部とで、前記回動軸１３が回動自在に係合されている。そして、一方の前記操作レバー２９を操作して前記リブ３０の凹部及び前記フック３１の爪部と前記回動軸１３との係合を解くことで、前記扉体３は、他方の操作レバー２９側の回動軸１３を中心に回動するように構成されている。（なお、このような構造は実公平６−１１３４５号公報等で公知である。）そして、前記扉体３の前外殻体２６と後外殻体２７との間には、透明な材質によって構成された導光体３２が設けられている。この導光体３２は、前記発光部１７と同数設けられていると共に、その後端部が前記発光部１７と対向して、前記発光部１７が発した光を前記扉体３の正面側に露出した前端部まで導くように構成されている。なお、前記扉体３の後外殻体２７の後端面２７Ａと前記操作部１５との間には、前記パッキン２８によって間隙が形成されている。
【００１６】
次に、本実施形態の作用について説明する。図１乃至図５に示すように、前記温冷蔵庫１を縦置きする場合、使用者は、前記脚部２１が被設置面Ｆに接するように、前記温冷蔵庫１を被設置面Ｆ上に設置する。この際、前記受水体２０は、前記開口部１１の下縁１１Ａの下方に位置する。そして、使用者は、前記電源コード２５の先端に設けられた図示しない差込プラグを、同じく図示しない交流電源の差込口等に差し込む。そして、左又は右の前記操作レバー２９を操作して、左又は右の前記リブ３０の凹部及び前記フック３１の爪部と前記回動軸１３Ｌ又は１３Ｒとの係合を解くことで、前記回動軸１３Ｒ又は１３Ｌを中心に前記扉体３が開かれる。このように、前記扉体３を開くことで、この扉体３によって覆われていた前記操作部１５が露出される。そして、露出された前記操作部１５の押圧部１６を操作することで、前記温冷蔵庫１の電源のオン・オフ及び温度設定の切換が行われる。また、前記温冷蔵庫１の電源がオンになることで、前記発光部１７が点灯すると共に、温度設定が切り換えられることにより、前記発光部１７の発光形態が変化する。そして、使用者が前記扉体３を再び閉じることで、この扉体３によって前記操作部１５が再び覆われる。このように、前記操作部１５が前記扉体３によって覆われることで、前記温冷蔵庫１の周囲に存在する他の物体、或いは使用者又は他の人物の身体の一部が前記操作部１５に不用意に接触することが、前記扉体３によって妨げられるので、前記操作部１５の意図しない操作が確実に阻止される。
【００１７】
前記温冷蔵庫１内を冷却する場合、前記内容器６及び前記温冷蔵庫１内に収納された被収納物が低温になることで、これらの内容器６や被収納物の表面に空気中の水分が凝縮して水滴となる。そして、これらの水滴は、前記扉体３を開いた際に、前記開口部１１の下縁１１Ａから流出する可能性がある。しかしながら、このように前記開口部１１の下縁１１Ａから流出した水滴は、前記受水体２０に溜められるので、水滴が被設置面Ｆを濡らしてしまう虞を減ずることができる。
【００１８】
一方、図６乃至図１０に示すように、前記温冷蔵庫１を横置きする場合、使用者は、前記側脚部２３が被設置面Ｆに接するように、前記温冷蔵庫１を被設置面Ｆ上に設置する。なお、図６乃至図１０では、右側の前記化粧パネル７に取り付けられた前記側脚部２３が被設置面Ｆと接触するように、前記温冷蔵庫１が被設置面Ｆ上に設置される。この際、前記開口部１１の右側の側縁１１Ｂが下方となると共に、右側の前記化粧パネル７に形成された前記受水溝２２が、前記開口部１１の側縁１１Ｂの下方に位置する。また、この際、前記回動軸１３Ｂが前記開口部１１の上方に位置すると共に、前記回動軸１３Ａが前記開口部１１の下方に位置することになる。
【００１９】
前記温冷蔵庫１内を冷却する場合、この温冷蔵庫１内で発生した水滴は、前記扉体３を開いた際に、前記開口部１１の側縁１１Ｂから流出する可能性がある。しかしながら、このように前記開口部１１の側縁１１Ｂから流出した水滴は、前記受水溝２２に溜められるので、水滴が被設置面Ｆを濡らしてしまう虞を減ずることができる。
【００２０】
なお、このように横置きされた温冷蔵庫１内の被収容物を取り出す場合、操作しやすい上側に位置する（本例の場合、縦置き時に左側となる）操作レバー２９を操作して、下側に位置する回動軸１３Ａを回動中心として選択して前記扉体３を開くと、この開かれた扉体３を支えることなく前記開口部１１を開放し続けることができるので、被収納物を容易に出し入れすることができる。その一方で、上側に位置する操作レバー２９を操作して、下側に位置する回動軸１３Ａを回動中心として前記扉体３を開くと、図８に示すように、前記受水溝２２の前方に前記扉体３が位置するので、前記受水溝２２に溜められた水が除去しにくくなってしまう。このため、前記受水溝２２に溜まった水を除去する場合、前記開口部１１の上方に位置する回動軸１３Ｂを回動中心として選択することで、前記受水溝２２の前方に前記扉体３が位置しないようにして、前記受水溝２２の前方を大きく開放することができるので、前記受水溝２２に溜まった水を除去しやすくすることができる。従って、前記温冷蔵庫１は、横置きされた状態で、前記回動軸１３Ａ又は１３Ｂの何れか一方を回動中心として選択することで、前記温冷蔵庫１内に被収納物を出し入れしやすくすることも、前記受水溝２２に溜まった水を除去しやすくすることもできる。
【００２１】
なお、前記後脚部２４が被設置面Ｆと接するように、前記温冷蔵庫１を被設置面Ｆ上に設置することも可能である。この場合、前記開口部１１が上向きとなるため、この開口部１１から水滴が流出することがないので、受水手段は不要である。
【００２２】
次に、本発明の第二の実施形態について、図１２に基づいて説明する。なお、上記実施形態と共通する部分については、同一の符号を付し、その説明を省略する。温冷蔵庫本体２の開口部１１の下部には、受水体２０が設けられていると共に、この受水体２０には、スポンジやフェルト等からなる吸水体３３が設けられている。一方、前記温冷蔵庫本体２の開口部１１の側部には、化粧パネル７の前端部７Ａと一体に形成された受水溝２２が設けられていると共に、この受水溝２２にも、スポンジやフェルト等からなる吸水体３４が設けられている。なお、これらの吸水体３３，３４は、前記受水体２０又は受水溝２２に対して着脱自在である。
【００２３】
前記温冷蔵庫１を縦置きした状態で、この温冷蔵庫１内を冷却する場合、この温冷蔵庫１内で発生した水滴は、前記扉体３を開いた際に、前記開口部１１の一縁である下縁１１Ａから流出する可能性がある。しかしながら、このように前記開口部１１の下縁１１Ａから流出した水滴は、前記受水溝２２に設けられた吸水体３３に吸収されるので、水滴が被設置面Ｆを濡らしてしまう虞を減ずることができる。一方、前記温冷蔵庫１を横置きした状態で、この温冷蔵庫１内を冷却する場合、この温冷蔵庫１内で発生した水滴は、前記扉体３を開いた際に、前記開口部１１の他縁である側縁１１Ｂから流出する可能性がある。しかしながら、このように前記開口部１１の側縁１１Ｂから流出した水滴は、前記受水溝２２に設けられた吸水体３４に吸収されるので、水滴が被設置面Ｆを濡らしてしまう虞を減ずることができる。更に、前記温冷蔵庫１を作動させたまま、前記温冷蔵庫１の設置姿勢を変える場合もあり得るが、前述したように、前記温冷蔵庫１内で発生した水は前記吸水体３３，３４によって吸収されるので、これらの吸水体３３，３４が吸水量の限界を超えていない限り、前記温冷蔵庫１の設置姿勢を変えたとしても、水滴が被設置面Ｆを濡らさないようにすることができる。
【００２４】
なお、本発明は以上の実施形態に限定されるものではなく、発明の要旨の範囲内で種々の変形実施が可能である。例えば、上記実施形態では、受水体と受水溝とを別体に構成したが、これらを一体的に形成しても良い。
【図面の簡単な説明】
【００２５】
【図１】本発明の第一の実施形態を示す温冷蔵庫の正面図である。
【図２】同、右側面図である。
【図３】同、平面図である。
【図４】同、扉体を開いた状態の正面図である。
【図５】同、扉体を開いた状態の平面図である。
【図６】同、横置きした状態の右側面図である。
【図７】同、下側の回動軸を中心に扉体を開いた場合の右側面図である。
【図８】同、図７の状態における要部Ｘの拡大断面図である。
【図９】同、上側の回動軸を中心に扉体を開いた場合の右側面図である。
【図１０】同、図９の状態における要部Ｘの拡大断面図である。
【図１１】同、化粧パネルを裏面から見た図である。
【図１２】本発明の第２の実施形態を示す温冷蔵庫の要部の拡大断面図である。
【符号の説明】
【００２６】
１  温冷蔵庫（収納庫）
２  温冷蔵庫本体（収納庫本体）
３  扉体
７  化粧パネル
７Ａ  前端部
１１  開口部
１１Ａ  下縁（一縁）
１１Ｂ  側縁（他縁）
１３，１３Ａ，１３Ｂ  回動軸
２０  受水体（第一の受水手段）
２２  受水溝（第二の受水手段）
３３，３４  吸水体
Ｆ  被設置面
【図１】
2009275939.tif 000003
【図２】
2009275939.tif 000004
【図３】
2009275939.tif 000005
【図４】
2009275939.tif 000006
【図５】
2009275939.tif 000007
【図６】
2009275939.tif 000008
【図７】
2009275939.tif 000009
【図８】
2009275939.tif 000010
【図９】
2009275939.tif 000011
【図１０】
2009275939.tif 000012
【図１１】
2009275939.tif 000013
【図１２】
2009275939.tif 000014